(57)【要約】【課題】  複数のカメラを有する携帯電話の表示を遮ることなく映像の表示を切替える。【解決手段】  携帯電話の制御部が実行する処理は、ボタンの押下を検知した場合に(Ｓ６０４にてＹＥＳ）、押下時間を計測するステップ(Ｓ６０６)と、第１の機能ボタンが押下された場合に(Ｓ６０８にてＹＥＳ）、押下時間が予め定められた時間よりも短いとき(Ｓ６１０にてＹＥＳ）、数字ボタンが押下された場合に(Ｓ６１２にてＹＥＳ）、数字ボタンに対応づけられたカメラからの映像信号をメインモニタに出力するステップ(Ｓ６２０)と、数字ボタンが押下されない場合に（Ｓ６１２にてＮＯ）、次の切替先に設定されたカメラからの映像信号をメインモニタに出力するステップ（Ｓ６３０）とを含む。この処理は、さらに、押下時間が予め定められた時間よりも長いとき（Ｓ６１０にてＮＯ）、メインカメラからの映像信号をメインモニタに出力するステップ（Ｓ６４０）を含む。【選択図】        図６
2005184230.tif 000002
【特許請求の範囲】
【請求項１】
通信回線を介して、映像信号を受信するための受信手段と、
被写体を撮像して前記被写体の映像を表示する映像信号を生成するための複数の撮像手段と、
利用者による指示の入力に基づいて、映像の表示を切り替える指令を出力するための指令手段と、
前記指令に基づいて、前記複数の撮像手段の各々により生成される各前記映像信号と、前記受信手段により受信される映像信号との少なくともいずれかの信号に基づく映像を表示する信号を生成するための生成手段と、
前記生成手段からの信号に基づいて、映像を表示するための表示手段とを含む、携帯通信端末。
【請求項２】
前記指令手段は、
前記利用者が映像の表示を切替える切替指示を入力するための入力手段と、
前記切替指示が入力された入力時間を計測するための計測手段と、
前記入力時間に基づいて、前記指令を出力するための切替指令手段とを含む、請求項１に記載の携帯通信端末。
【請求項３】
前記入力手段は、前記利用者が押下することにより前記切替指示を入力するための第１の押下手段を含み、
前記計測手段は、前記利用者が前記第１の押下手段を押下した第１の押下時間を計測するための手段を含み、
前記切替指令手段は、前記第１の押下時間に基づいて、前記指令を出力するための第１の表示指令手段を含む、請求項２に記載の携帯通信端末。
【請求項４】
前記第１の表示指令手段は、
前記第１の押下時間が予め定められた時間を上回る場合に、前記複数の撮像手段の中の予め定められた撮像手段により生成される映像信号に基づく映像の第１の表示指令を出力するための手段と、
前記第１の押下時間が前記予め定められた時間を下回る場合に、前記複数の撮像手段の各々により生成される信号に基づく映像の表示を切替える第２の表示指令を出力するための指令出力手段とを含み、
前記生成手段は、
前記第１の表示指令の出力に基づいて、前記予め定められた撮像手段により生成される映像信号に基づく信号を生成するための手段と、
前記第２の表示指令の出力に基づいて、前記複数の撮像手段の各々により生成される映像信号に基づく信号を生成するための信号生成手段とを含む、請求項３に記載の携帯通信端末。
【請求項５】
前記携帯通信端末はさらに、
予め定められた切替順序を記憶するための記憶手段と、
前記利用者が、前記複数の撮像手段の各々を特定する特定情報をそれぞれ入力するための複数の情報入力手段と、
前記特定情報が入力されたか否かを判断するための判断手段とを含み、
前記指令出力手段は、
前記特定情報が入力された場合に、前記特定情報により特定される撮像手段からの信号に基づく映像の第１の指令を出力し、
前記特定情報が入力されていない場合に、前記切替順序に対応付けられる撮像手段からの信号に基づく映像の第２の指令を出力し、
前記信号生成手段は、
前記第１の指令が出力されると、前記特定される撮像手段からの映像信号に基づいて、前記映像を表示する信号を生成し、
前記第２の指令が出力されると、前記切替順序に対応付けられる撮像手段からの映像信号に基づいて、前記映像を表示する信号を生成する、請求項４に記載の携帯通信端末。
【請求項６】
前記情報入力手段は、数字を入力するためのボタンを含む、請求項５に記載の携帯通信端末。
【請求項７】
前記入力手段は、前記利用者が押下することにより前記指示を入力するための第２の押下手段を含み、
前記計測手段は、前記利用者が前記第２の押下手段を押下した第２の押下時間を計測するための手段を含み、
前記切替指令手段は、前記第２の押下時間に基づいて、各前記映像信号に基づく複数の映像を表示する指令を出力するための第２の表示指令手段を含む、請求項２に記載の携帯通信端末。
【請求項８】
前記第２の表示指令手段は、
前記第２の押下時間が予め定められた時間を上回る場合に、前記受信手段により受信された映像信号に基づく映像を縮小して表示する第１の表示指令を出力するための手段と、
前記第２の押下時間が前記予め定められた時間を下回る場合に、前記複数の撮像手段の中の予め定められた撮像手段により生成された映像信号に基づく映像を縮小して表示する第２の表示指令を出力するための指令出力手段とを含み、
前記生成手段は、
前記第１の表示指令が出力されると、前記受信手段により受信される映像信号に基づいて、前記表示手段の表示領域に対して予め定められた部分表示領域に対応する映像信号を生成するための第１の信号生成手段と、
前記第２の表示指令が出力されると、前記予め定められた撮像手段により生成された映像信号に基づいて、前記部分表示領域に対応する映像信号を生成するための第２の信号生成手段とを含む、請求項７に記載の携帯通信端末。
【請求項９】
前記指令出力手段は、前記表示手段が前記予め定められた撮像手段と異なる撮像手段により生成された映像信号に基づく映像を表示している場合に、前記第２の表示指令を出力する、請求項８に記載の携帯通信端末。
【請求項１０】
前記第１の信号生成手段は、前記部分表示領域に応じて予め定められた圧縮率に基づいて、前記受信手段により受信された映像信号を圧縮することにより、前記部分表示領域に対応する映像信号を生成し、
前記第２の信号生成手段は、前記圧縮率に基づいて、前記予め定められた撮像手段により生成された映像信号を圧縮することにより、前記部分表示領域に対応する映像信号を生成する、請求項８に記載の携帯通信端末。
【請求項１１】
前記第１の信号生成手段は、前記部分表示領域に応じて予め定められた間隔で、前記受信手段により受信された映像信号を選択することにより、前記部分表示領域に対応する映像信号を生成し、
前記第２の信号生成手段は、前記予め定められた間隔で、前記予め定められた撮像手段により生成された映像信号を選択することにより、前記部分表示領域に対応する映像信号を生成する、請求項８に記載の携帯通信端末。
【請求項１２】
前記指令手段はさらに、前記利用者が押下することにより前記切替指示を入力するための第３の押下手段を含み、
前記入力手段はさらに、前記利用者が前記第３の押下手段を押下した第３の押下時間を計測するための手段を含み、
前記切替指令手段はさらに、前記第３の押下時間に基づいて、前記指令を出力するための第３の表示指令手段を含む、請求項７に記載の携帯通信端末。
【請求項１３】
前記第３の表示指令手段は、前記第３の押下時間が予め定められた時間を上回る場合に、前記表示手段の表示領域に表示される映像と、前記表示領域に対して予め定められた部分表示領域に表示される映像とを、切り替えて表示する切替指令を出力するための手段を含み、
前記生成手段は、
前記切替指令が出力されると、前記表示領域における表示のために使用されていた映像信号に基づいて、前記部分表示領域に対応するデータ量に応じた映像信号を生成するための手段と、
前記切替指令が出力されると、前記部分表示領域における表示のために使用されていた映像信号に基づいて、前記表示領域における表示のための映像信号を生成するための手段とを含む、請求項１２に記載の携帯通信端末。
【請求項１４】
前記携帯通信端末はさらに、予め定められたデータである、前記部分表示領域の前記表示領域における位置を特定する位置データを記憶するための位置データ記憶手段を含み、
前記第３の表示指令手段は、前記第３の押下時間が前記予め定められた時間を下回る場合に、前記表示領域における前記部分表示領域の位置を変更する変更指令を出力するための手段を含み、
前記生成手段は、前記変更指令の出力に基づいて、前記部分表示領域における表示のために使用される映像信号を前記位置データに応じて生成する、請求項１２に記載の携帯通信端末。
【請求項１５】
前記指令手段は、前記表示手段が配置される面に配置される、請求項１〜１４のいずれかに記載の携帯通信端末。
【発明の詳細な説明】
【技術分野】
【０００１】
本発明は、携帯通信端末に関し、特に、複数の映像信号ソースを有する携帯通信端末に関する。
【背景技術】
【０００２】
近年、カメラ付き携帯電話機のように撮像手段を有する携帯通信端末が普及している。また、さらに、複数の撮像手段を有し、利用者の操作によって撮像手段を切替えることが可能な携帯通信端末も開示されている。このような携帯通信端末は、その表示を切替えるために複雑な操作を必要とする場合がある。
【０００３】
そこで、このような問題を解決するために、たとえば特開２００１-１６９１６６号公報（特許文献１）は、タッチパネルによって操作が簡略化される携帯通信端末を開示する。この携帯通信端末は、通信回線を介して音声の通信を行なう通信部と、第１の撮影用レンズと、第２の撮影用レンズと、タッチパネル付きモニタ部と、テレビ電話部とを含む。
【０００４】
特許文献１に開示された携帯通信端末によると、複数の撮影用レンズがそれぞれ被写体を撮影することができるため、利用者は、携帯通信端末を敢えて持ち替えることなく利用者自身あるいはその他の被写体を撮影することができる。また、利用者は、タッチパネル付きモニタ部に表示されるメニューを参照しつつ、特定の機能を選択することができる。さらに、利用者は、周りの風景その他の被写体の映像を通話先に容易に送信することができる。このようにして、携帯通信端末は、利用者の利便性を向上させることができる。
【特許文献１】特開２００１-１６９１６６号公報
【発明の開示】
【発明が解決しようとする課題】
【０００５】
しかしながら、特許文献１に開示された携帯通信端末によると、利用者は、特定の機能を選択するために、タッチパネル付きモニタ部を操作して、所定のメニューを表示する必要がある。そのため、利用者の操作中、そのモニタ部は、各レンズにより撮影された被写体の映像、あるいはテレビ電話部により受信された映像を明瞭に表示することができない場合がある。その結果、利用者は、撮影の機会を逃したり、通話相手との対話が中断されたりするという問題があった。
【０００６】
本発明は、上述の問題点を解決するためになされたものであって、その目的は、撮影の機会を逃したり、通話相手との対話を中断することなく、映像の表示を切り替えることができる携帯通信端末を提供することである。
【課題を解決するための手段】
【０００７】
上記の課題を解決するために、この発明のある局面に従うと、携帯通信端末は、通信回線を介して、映像信号を受信するための受信手段と、被写体を撮像して被写体の映像を表示する映像信号を生成するための複数の撮像手段と、利用者による指示の入力に基づいて、映像の表示を切り替える指令を出力するための指令手段と、指令に基づいて、複数の撮像手段の各々により生成される各映像信号と、受信手段により受信される映像信号との少なくともいずれかの信号に基づく映像を表示する信号を生成するための生成手段と、生成手段からの信号に基づいて、映像を表示するための表示手段とを含む。
【０００８】
上記の構成を有する携帯通信端末によると、受信手段により受信した映像信号あるいは複数の撮像手段により撮像された映像信号に基づいて、映像を表示手段に表示させることができる。利用者が指示を入力すると、映像の表示の切替指令が出力される。生成手段は、その指令に基づいて、各映像信号から、表示手段に表示させる信号を生成する。このようにすると、利用者は、指令手段に対する指示のみによって、映像の表示を切り替えることができる。これにより、映像の表示を遮ることなく、映像の表示を切り替えることができ、通信時間の損失を抑制することができる携帯通信端末を提供することができる。
【０００９】
好ましくは、指令手段は、利用者が映像の表示を切替える切替指示を入力するための入力手段と、切替指示が入力された入力時間を計測するための計測手段と、入力時間に基づいて、指令を出力するための切替指令手段とを含む。
【００１０】
上記の構成を有する携帯通信端末によると、利用者が映像の表示を切り替える指示を入力すると、その指示が入力された時間が計測される。指令は、その時間に基づいて（たとえば時間の長短に応じて）出力される。したがって、利用者は、入力手段に指示を入力することのみによって、映像の表示を切り替えることができる。
【００１１】
好ましくは、入力手段は、利用者が押下することにより切替指示を入力するための第１の押下手段を含む。計測手段は、利用者が第１の押下手段を押下した第１の押下時間を計測するための手段を含む。切替指令手段は、第１の押下時間に基づいて、指令を出力するための第１の表示指令手段を含む。
【００１２】
上記の構成を有する携帯通信端末によると、利用者が第１の押下手段を押下すると、押下の時間が計測される。表示指令手段は、その押下の時間に基づいて、映像の表示を切り替える指令を出力する。その結果、表示手段はその指令に応じて映像の表示を切り替えるため、利用者は、第１の押下手段の押下操作のみによって、映像の表示を切り替えることができる。
【００１３】
好ましくは、第１の表示指令手段は、第１の押下時間が予め定められた時間を上回る場合に、複数の撮像手段の中の予め定められた撮像手段により生成される映像信号に基づく映像の第１の表示指令を出力するための手段と、第１の押下時間が予め定められた時間を下回る場合に、複数の撮像手段の各々により生成される信号に基づく映像の表示を切替える第２の表示指令を出力するための指令出力手段とを含む。生成手段は、第１の表示指令の出力に基づいて、予め定められた撮像手段により生成される映像信号に基づく信号を生成するための手段と、第２の表示指令の出力に基づいて、複数の撮像手段の各々により生成される映像信号に基づく信号を生成するための信号生成手段とを含む。
【００１４】
上記の構成を有する携帯通信端末によると、利用者が予め定められた時間よりも長い時間、第１の押下手段を押下すると、表示手段は、予め定められた特定の撮像手段により生成される映像信号に基づく映像の表示を表示する。一方、利用者が予め定められた時間よりも短い時間第１の押下手段を押下すると、表示手段は、各撮像手段により生成される映像信号に基づく各々の映像を表示する。このようにすると、利用者は、たとえば映像の表示の切り替えのためのメニューを表示手段に表示させることなく、第１の押下手段を押下する時間を替えることにより、映像の表示を切り替えることができる。
【００１５】
好ましくは、携帯通信端末はさらに、予め定められた切替順序を記憶するための記憶手段と、利用者が、複数の撮像手段の各々を特定する特定情報をそれぞれ入力するための複数の情報入力手段と、特定情報が入力されたか否かを判断するための判断手段とを含む。指令出力手段は、特定情報が入力された場合に、特定情報により特定される撮像手段からの信号に基づく映像の第１の指令を出力する。特定情報が入力されていない場合に、切替順序に対応付けられる撮像手段からの信号に基づく映像の第２の指令を出力する。信号生成手段は、第１の指令が出力されると、特定される撮像手段からの映像信号に基づいて、映像を表示する信号を生成する。第２の指令が出力されると、切替順序に対応付けられる撮像手段からの映像信号に基づいて、映像を表示する信号を生成する。
【００１６】
上記の構成を有する携帯通信端末によると、利用者がいずれかの撮像手段を特定する情報（たとえば、各撮像手段に対応付けられる番号、記号等）を入力した場合には、表示手段は、特定された撮像手段により生成された信号に基づく映像を表示する。利用者がそのような情報を入力しない場合には、予め記憶されている切替順序ごとに、各撮像手段により生成された信号に基づく映像を表示する。これにより、利用者は、表示手段の表示を遮断することなく、各撮像手段により撮像された映像の表示を切り替えることができる。
【００１７】
好ましくは、情報入力手段は、数字を入力するためのボタンを含む。
【００１８】
上記の構成を有する携帯通信端末によると、利用者は、数字を入力するためのボタンを押下することにより、各撮像手段からの映像の表示を切り替えることができる。
【００１９】
好ましくは、入力手段は、利用者が押下することにより指示を入力するための第２の押下手段を含む。計測手段は、利用者が第２の押下手段を押下した第２の押下時間を計測するための手段を含む。切替指令手段は、第２の押下時間に基づいて、各映像信号に基づく複数の映像を表示する指令を出力するための第２の表示指令手段を含む。
【００２０】
上記の構成を有する携帯通信端末によると、利用者が第２の押下手段を押下すると、欧化された時間が計測される。第２の表示指令手段は、その時間に基づいて、各映像信号に基づく複数の映像を表示する指令を出力する。生成手段が、その指令に基づいて複数の映像を表示するための信号を生成すると、表示手段は、複数の映像を表示する。これにより、利用者は、表示手段に複数の映像を表示するためのメニューを表示させることなく、第２の押下手段の押下によって、複数の映像を表示手段に表示させることができる。
【００２１】
好ましくは、第２の表示指令手段は、第２の押下時間が予め定められた時間を上回る場合に、受信手段により受信された映像信号に基づく映像を縮小して表示する第１の表示指令を出力するための手段と、第２の押下時間が予め定められた時間を下回る場合に、複数の撮像手段の中の予め定められた撮像手段により生成された映像信号に基づく映像を縮小して表示する第２の表示指令を出力するための指令出力手段とを含む。生成手段は、第１の表示指令が出力されると、受信手段により受信される映像信号に基づいて、表示手段の表示領域に対して予め定められた部分表示領域に対応する映像信号を生成するための第１の信号生成手段と、第２の表示指令が出力されると、予め定められた撮像手段により生成された映像信号に基づいて、部分表示領域に対応する映像信号を生成するための第２の信号生成手段とを含む。
【００２２】
上記の構成を有する携帯通信端末によると、利用者が予め定められた時間よりも長い間第２の押下手段を押下すると、受信手段からの信号に基づく映像（たとえばテレビ電話による映像）が、縮小して表示される。一方、利用者が予め定められた時間よりも短い間第２の押下手段を押下すると、予め定められた特定の撮像手段からの信号に基づく映像が、縮小して表示される。したがって、利用者は、たとえば映像を縮小して表示させる処理を選択するためのメニューを表示手段に表示させることなく、縮小された映像を表示させることができる。また、これにより利用者は、複数の映像の表示を参照することができる。
【００２３】
好ましくは、指令出力手段は、表示手段が予め定められた撮像手段と異なる撮像手段により生成された映像信号に基づく映像を表示している場合に、第２の表示指令を出力する。
【００２４】
上記の構成を有する携帯通信端末によると、表示手段が予め定められた撮像手段と異なる撮像手段からの信号に基づく映像を表示している場合、表示手段は、その予め定められた撮像手段からの信号に基づく映像も表示する。したがって、利用者は、２つの撮像手段による映像を同時に視聴することができる。
【００２５】
好ましくは、第１の信号生成手段は、部分表示領域に応じて予め定められた圧縮率に基づいて、受信手段により受信された映像信号を圧縮することにより、部分表示領域に対応する映像信号を生成する。第２の信号生成手段は、圧縮率に基づいて、予め定められた撮像手段により生成された映像信号を圧縮することにより、部分表示領域に対応する映像信号を生成する。
【００２６】
上記の構成を有する携帯通信端末によると、受信手段あるいは撮像手段からの信号は圧縮され、その圧縮後の信号に基づいて映像が表示される。したがって、表示手段は、利用者による視聴が困難にならないような映像を表示することができる。
【００２７】
好ましくは、第１の信号生成手段は、部分表示領域に応じて予め定められた間隔で、受信手段により受信された映像信号を選択することにより、部分表示領域に対応する映像信号を生成する。第２の信号生成手段は、予め定められた間隔で、予め定められた撮像手段により生成された映像信号を選択することにより、部分表示領域に対応する映像信号を生成する。
【００２８】
上記の構成を有する携帯通信端末によると、受信手段あるいは撮像手段からの信号は、予め定められた間隔で間引かれ、その間引き処理の後の信号に基づいて映像が表示される。これにより、利用者は、表示手段にメニューを表示させることなく、概略の視聴が可能な２つ目の映像を表示させることができる。
【００２９】
好ましくは、指令手段はさらに、利用者が押下することにより切替指示を入力するための第３の押下手段を含む。入力手段はさらに、利用者が第３の押下手段を押下した第３の押下時間を計測するための手段を含む。切替指令手段はさらに、第３の押下時間に基づいて、指令を出力するための第３の表示指令手段を含む。
【００３０】
上記の構成を有する携帯通信端末によると、利用者が第３の押下手段を押下すると、その時間が計測され、その時間に応じた指令が出力される。これにより、利用者は、第２の押下手段の押下に加えて、第３の押下手段を押下することにより、メニュー等を参照することなく、表示手段に映像の表示を切り替えさせることができる。
【００３１】
好ましくは、第３の表示指令手段は、第３の押下時間が予め定められた時間を上回る場合に、表示手段の表示領域に表示される映像と、表示領域に対して予め定められた部分表示領域に表示される映像とを、切り替えて表示する切替指令を出力するための手段を含む。生成手段は、切替指令が出力されると、表示領域における表示のために使用されていた映像信号に基づいて、部分表示領域に対応するデータ量に応じた映像信号を生成するための手段と、切替指令が出力されると、部分表示領域における表示のために使用されていた映像信号に基づいて、表示領域における表示のための映像信号を生成するための手段とを含む。
【００３２】
上記の構成を有する携帯通信端末によると、利用者が予め定められた時間よりも長い時間、第３の押下手段を押下すると、表示手段の表示領域に表示される映像と、表示領域に対して予め定められた部分表示領域に表示される映像とは、切り替えて表示される。したがって、利用者は、各映像を常に視聴しつつ、その映像の表示の態様を変更することができるため、たとえば撮像手段による撮影の機会を逸することが防止される。
【００３３】
好ましくは、携帯通信端末はさらに、予め定められたデータである、部分表示領域の表示領域における位置を特定する位置データを記憶するための位置データ記憶手段を含む。第３の表示指令手段は、第３の押下時間が予め定められた時間を下回る場合に、表示領域における部分表示領域の位置を変更する変更指令を出力するための手段を含む。生成手段は、変更指令の出力に基づいて、部分表示領域における表示のために使用される映像信号を位置データに応じて生成する。
【００３４】
上記の構成を有する携帯通信端末によると、利用者が予め定められた時間よりも短い時間、第３の押下手段を押下すると、表示領域における部分表示領域の位置が変更される。したがって、利用者は、たとえば表示領域に表示される映像が部分表示領域に隠れている場合には、第３の押下手段を短時間だけ押下することにより、容易にその部分表示領域の位置を変更することができる。このようにすると、利用者は、常に適切な映像を視聴することができる。
【００３５】
好ましくは、指令手段は、表示手段が配置される面に配置される。
【００３６】
上記の構成を有する携帯通信端末によると、利用者は、表示手段による映像の表示から視線をそらすことなく指令手段を操作することができるため、誤操作の可能性が低減される。
【発明の効果】
【００３７】
本発明に係る携帯通信端末によると、利用者は、映像の表示を遮るようなメニューを参照することなく、映像の表示を切り替えることができる。したがって、利用者は、撮影の機会を逃したり、対話を中断する必要がなくなる。また、特に、テレビ電話機能を実行している場合には、対話の中断による不要な通話状態の発生が抑制されるため、通話時間の延長も防止することができる。
【発明を実施するための最良の形態】
【００３８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３９】
＜第１の実施の形態＞
以下、本発明の第１の実施の形態に係る携帯通信端末について説明する。この携帯通信端末は、たとえば携帯電話であるがこれに限られず、通信機能を有する端末であればよい。
【００４０】
図１を参照して、本発明の第１の実施の形態に係る携帯電話１００の構成について説明する。図１（Ａ）は、利用者の操作面から携帯電話１００の外観を表わす図である。図１（Ｂ）は、その操作面の背面から携帯電話１００の外観を表わす図である。
【００４１】
図１（Ａ）に示すように、携帯電話１００は、第１の筐体１２０と、第２の筐体１２２とを含む。第１の筐体１２０と第２の筐体１２２とは、接続部１２４により接続される。第１の筐体１２０には、メインモニタ１５０と、サブカメラ１０４とが配置される。第２の筐体１２２の操作面には、第１の機能ボタン１８０と、第２の機能ボタン１８２と、第３の機能ボタン１８４と、複数の操作ボタン１８６と、数字ボタン１８８とが配置される。
【００４２】
サブカメラ１０４は、たとえばＣＣＤ（Charge Coupled Device）を含む。複数の操作ボタン１８６は、たとえばメインモニタ１５０におけるカーソルを移動するための移動ボタン、確定した指示を入力するための決定ボタン等を含む。なお、複数の操作ボタン１８６は、たとえば利用者の押下に基づいて、予め定められた制御信号を出力するボタンであるが、その他の態様であってもよい。たとえば、利用者の入力によってメインモニタ１５０における位置を任意に変更することが可能なポインティングデバイスであってもよい。
【００４３】
次に、図１（Ｂ）を参照して、携帯電話１００の背面、すなわち利用者による操作の対象となるボタンが殆ど配置されることのない面には、メインカメラ１０２と、サブモニタ１５２とが配置される。メインカメラ１０２は、サブカメラ１０４と同様に、たとえばＣＣＤ（Charge Coupled Device）を含む。
【００４４】
なお、本実施の形態においては、メインおよびサブの表記は、説明の明瞭化のために使用されているものであるため、特定の位置に配置される構成がメインの構成を示すものではない。
【００４５】
図２を参照して、本実施の形態に係る携帯電話１００の構成についてさらに説明する。図２は、携帯電話１００の機能的構成を表わすブロック図である。
【００４６】
図２に示すように、携帯電話１００は、図１に示した構成に加えて、制御部１１０と、メモリ１３０と、バッテリ１６０と、計時回路１６２と、マイク１６４と、アンテナ１６６と、スピーカ１６８とを含む。
【００４７】
制御部１１０は、メインモニタ１５０およびサブモニタ１５２のいずれかに映像信号を出力する。第１の機能ボタン１８０と第２の機能ボタン１８２と第３の機能ボタン１８４とのいずれかから出力された制御信号は、それぞれ、制御部１１０に入力される。制御部１１０は、各制御信号の入力に基づいて、予め定められた処理を実行する。この処理については後述する。
【００４８】
複数の操作ボタン１８６は、たとえばメインモニタ１５０の表示領域上においてカーソルを上下あるいは左右に移動するための移動ボタン、利用者が選択した処理を確定するための確定ボタンなどを含む。複数の操作ボタン１８６から出力された信号は、制御部１１０に入力される。制御部１１０は、その入力信号に基づいて予め定められた処理を実行する。
【００４９】
数字ボタン１８８は、利用者がダイヤル発信するために電話番号を入力したり、あるいは各ボタンに対応する数字を入力するためのボタンである。数字ボタン１８８から出力される信号は、制御部１１０に入力される。制御部１１０は、その入力信号に基づいて指定された番号にダイヤル発信したり、あるいはその入力信号により特定される数値によって、所定の操作を実行する。この操作については後述する。
【００５０】
メインカメラ１０２により撮影された被写体の映像信号は、制御部１１０に入力される。サブカメラ１０４により撮影された被写体を表わす映像信号は、制御部１１０に入力される。また、アンテナ１６６を介して受信された映像信号も、制御部１１０に入力される。
【００５１】
制御部１１０は、予め定められた条件に基づいて、上記の各映像信号を選択的にメモリ１３０に読み出す。制御部１１０はさらに、メインカメラ１０２あるいはサブカメラ１０４から出力された映像信号に基づいて、メインモニタ１５０の表示領域のうちの一部の領域（以下、部分表示領域と称す。）に対応するように、その信号データを間引いたり、圧縮することにより、部分表示領域に映像を表示するための信号をメモリ１３０のワーク領域に出力する。この場合、データの間引き、あるいは圧縮は、予め設定された間引き間隔、圧縮率その他の条件に基づいて行なわれる。このようにして出力された信号がメインモニタ１５０に入力されると、メインモニタ１５０は、その部分表示領域においていずれかのカメラにより撮影された映像を表示することができる。なお、データの間引き処理、あるいは圧縮処理の態様は、特に限られない。
【００５２】
メモリ１３０は、たとえばフラッシュメモリのようなデータの書き込みが可能なメモリである。メモリ１３０は、携帯電話１００の操作を制御するためのプログラム、あるいは利用者により入力されたデータ（たとえば通信相手の電話番号、メールアドレスその他の情報）を記憶する。メモリ１３０に格納されるデータについては後述する。
【００５３】
計時回路１６２は、第１の機能ボタン１８０、第２の機能ボタン１８２、および第３の機能ボタン１８４のいずれかの押下の時間を計測して、その時間を表わす信号を制御部１１０に出力する。制御部１１０は、その信号に基づいて、各機能ボタンが予め定められた時間よりも短い時間押下されたか否かを判断する。なお、その予め定められた時間は、携帯電話１００における特性（たとえば各機能ボタンの動作特性、構造上の特徴その他の特性）に応じて、予め任意に設定可能としてもよい。
【００５４】
図３および図４を参照して、本実施の形態に係る携帯電話１００の一態様について説明する。図３は、２つの筐体が折畳み可能に構成される携帯電話１００の操作面を表わす図である。図４は、携帯電話１００を、操作面の背面から表わす図である。
【００５５】
図３を参照して、この携帯電話１００は、接続部１２４を介して接続された第１の筐体１２０と第２の筐体１２２とを含む。第１の筐体１２０には、メインモニタ１５０の上部にスピーカ１６８が設けられる。メインモニタ１５０の下部にはサブカメラ１０４が設けられる。なお、この第１の筐体１２０における各構成要素の配置は、図３に示した態様に限られない。たとえばサブカメラ１０４は、メインモニタ１５０の上部（たとえばスピーカ１６８の横位置）に配置されてもよい。
【００５６】
第２の筐体１２２には、接続部１２４からマイク１６４の方向に、複数の操作ボタン１８６と、第１の機能ボタン１８０と、第２の機能ボタン１８２と、第３の機能ボタン１８４と、数字ボタン１８８とが配置される。なお各機能ボタン１８０，１８２，１８４の配置は図３に示した態様に限られない。たとえば、各機能ボタン１８０，１８２，１８４は、複数の操作ボタン１８６と接続部１２４との間に配置されてもよい。このようにすると、利用者による各機能ボタンの操作は、さらに容易になる。
【００５７】
図４を参照して、第１の筐体１２０の外側の面には、メインカメラ１０２と、サブモニタ１５２と、操作ボタン１９０，１９２，１９４と、ライト１９６とが配置されている。メインカメラ１０２は、たとえば図３に示した複数の操作ボタン１８６、あるいは各機能ボタン１８０，１８２，１８４の操作に応じて、被写体を撮影し、映像信号を出力する。ライト１９６は、これらの各操作ボタンのいずれかの押下に応答して点灯し、被写体を照射する。なお、ライト１９６が点灯する態様は、このようなボタンの押下に応答して点灯する態様に限られない。この態様は、たとえば、利用者が所定の設定を予め行なっておくことにより、いずれかのボタンが押下されると、点灯し続ける態様であってもよい。あるいは、撮影ボタン（図示しない）の押下に応答して、点灯したり、発光するものであってもよい。
【００５８】
図５を参照して、本実施の形態に係る携帯電話１００におけるデータ構造について説明する。図５は、携帯電話１００のメモリ１３０に格納されるデータの一部を概念的に表わす図である。
【００５９】
携帯電話１００のモードを表わすデータは、データ領域Ｄ５０２に格納される。特定の操作が対応付けられる機能ボタンを表わすデータは、データ領域Ｄ５０４に格納される。その操作を実行可能にするための時間は、データ領域Ｄ５０６に格納される。その操作を実行可能にするために必要な入力に関するデータは、データ領域Ｄ５０８に格納される。データ領域Ｄ５０２〜Ｄ５０８に格納されるデータに基づいて設定される機能の内容は、データ領域Ｄ５１０に格納される。
【００６０】
たとえば、データレコードＲ５５０は、第１の機能ボタン１８０が短時間押下され、その他にボタンの入力がない場合に、携帯電話１００が備えるカメラは、予め定められた順序に基づいて順次動作可能に設定されていることを表わす。このような条件が成立した場合、メインモニタ１５０は、携帯電話１００が備えるカメラのいずれかにより撮影された被写体の映像のみを表示する。
【００６１】
なお、ここで、短時間とは、予め定められた時間よりも短い時間をいう。この時間は、携帯電話１００の一般的な仕様として、任意に設定可能である。このような時間を設定することにより、１つのボタンに対する入力の状態をその時間に応じて分けることができる。その結果、入力手段としてのボタンの数の増加を抑制しつつ、機能を追加することができる。
【００６２】
図５を再び参照して、データレコードＲ５６０は、第１の機能ボタン１８０が短時間押下され、さらに数字ボタン１８８のうち「１」のボタンが押下された場合に、サブカメラ１０４からの映像が、メインモニタ１５０に表示されることを表わす。
【００６３】
データレコードＲ５７０は、第１の機能ボタン１８０が短時間押下され、数字ボタン１８８のうち「２」のボタンがさらに押下された場合に、第２のサブカメラからの映像信号がメインモニタ１５０に表示されることを表わす。
【００６４】
データレコードＲ５８０は、第１の機能ボタン１８０が長時間押下され、その他にボタンの入力がない場合には、メインカメラ１０２が撮影した被写体の映像がメインモニタ１５０に表示されることを表わす。
【００６５】
なお、メモリ１３０におけるデータの格納の態様は、上記した態様に限られない。データ領域Ｄ５０２に格納されるモードは、複数あってもよい。データ量記Ｄ５０４に格納される機能ボタンは、複数あってもよい。データ領域Ｄ５０６に格納される押下時間に関するデータは、押下時間を長時間および短時間に分けるデータに代えて、それ以上の時間に区切るデータであってもよい。
【００６６】
図６を参照して、本実施の形態に係る携帯電話１００の制御構造について説明する。図６は、携帯電話１００の制御部１１０が実行する処理の手順を表わすフローチャートである。
【００６７】
ステップＳ６０２にて、携帯電話１００の制御部１１０は、利用者による指示の入力に基づいて、携帯電話１００のモードをカメラモードに設定する。たとえば、利用者がカメラモードとして予め設定された操作ボタンを押下した場合に、携帯電話１００のモードはカメラモードになる。これにより、第１の筐体１２０に配置されたメインカメラ１０２が待機状態になる。また、メインモニタ１５０は、メインカメラ１０２により撮影された被写体の映像を表示する。
【００６８】
ステップＳ６０４にて、制御部１１０は、第２の筐体１２２に配置されたボタンの押下があったか否かを判断する。この判断は、各ボタンから制御部１１０への信号の入力の有無を検知することにより行なわれる。入力ボタンの押下があったと判断すると（ステップＳ６０４にてＹＥＳ）、処理はステップＳ６０６に移される。そうでない場合には（ステップＳ６０４にてＮＯ）、処理はステップＳ６４０に移される。
【００６９】
ステップＳ６０６にて、制御部１１０は、そのボタンが押下された時間を計測する。この計測は、たとえば制御部１１０が内部に有する計時回路（図示しない）からのデータに基づいて行なわれる。
【００７０】
ステップＳ６０８にて、制御部１１０は、第１の機能ボタン１８０が押下されたか否かを判断する。この判断は、たとえば制御部１１０への入力信号から、その信号の発信源を読み取り、その発信源が第１の機能ボタン１８０であるか否かに基づいて行なわれる。第１の機能ボタン１８０が押下されたと判断すると（ステップＳ６０８にてＹＥＳ）、処理はステップＳ６１０に移される。そうでない場合には（ステップＳ６０８にてＮＯ）、処理はステップＳ６４０に移される。
【００７１】
ステップＳ６１０にて、制御部１１０は、ステップＳ６０６にて計測された押下時間が予め定められた時間よりも短いか否かを判断する。第１の機能ボタン１８０の押下時間が予め定められた時間よりも短いと判断すると（ステップＳ６１０にてＹＥＳ）、処理はステップＳ６１２に移される。そうでない場合には（ステップＳ６１０にてＮＯ）、処理はステップＳ６４０に移される。
【００７２】
ステップＳ６１２にて、制御部１１０は、いずれかの数字ボタン１８８が押下されたか否かを判断する。この判断は、たとえば、制御部１１０への入力信号から、その信号の発信源を読み取り、その発信源がいずれかの数字ボタン１８８であるか否かに基づいて行なわれる。いずれかの数字ボタン１８８が押下されたと判断すると（ステップＳ６１２にてＹＥＳ）、処理はステップＳ６２０に移される。そうでない場合には（ステップＳ６１２にてＮＯ）、処理はステップＳ６３０に移される。
【００７３】
ステップＳ６２０にて、制御部１１０は、押下された数字ボタンに対応付けられたカメラからの映像信号をメインモニタ１５０に出力する。メインモニタ１５０は、そのカメラが撮影した被写体の映像を表示する。
【００７４】
ステップＳ６３０にて、制御部１１０は、予め設定された切替順序に基づいて、対応するカメラからの映像信号をメインモニタ１５０に出力する。これにより、携帯電話１００が複数のカメラを備えている場合には、メインモニタ１５０は、第１の機能ボタンの押下に応じて、表示する映像を切り替える。
【００７５】
ステップＳ６４０にて、制御部１１０は、メインカメラ１０２からの映像信号をメインモニタ１５０に出力する。これにより、メインモニタ１５０は、利用者の操作により撮影されたメインカメラ１０２により撮影された被写体の映像を表示する。
【００７６】
ステップＳ６５０にて、制御部１１０は、カメラモードが終了であるか否かを判断する。この判断は、たとえば制御部１１０がカメラモードの終了を表わす信号を受信したか否かに基づいて行なわれる。この信号は、たとえば、予め定められた操作ボタンが押下された場合に出力される。カメラモードを終了すると判断すると（ステップＳ６５０にてＹＥＳ）、処理は終了する。そうでない場合には（ステップＳ６５０にてＮＯ）、処理はステップＳ６０４に戻される。
【００７７】
以上のような構造およびフローチャートに基づく、本実施の形態に係る携帯電話１００の動作について、図７を参照しつつ説明する。図７（Ａ）〜（Ｄ）は、携帯電話１００のメインモニタ１５０が表示する画面の推移を表わす図である。なお、以下の説明において、携帯電話１００は、メインカメラ１５０と、第１のサブカメラと、第２のサブカメラとを有するものとして説明するが、サブカメラの数はこれに限られない。１つのサブカメラを有する携帯電話、あるいは３つ以上のサブカメラを有する携帯電話であってもよい。
【００７８】
携帯電話１００が待受け状態であるとき、携帯電話１００のメインモニタ１５０は初期メニューを表示する（図７（Ａ））。利用者が所定のボタン操作を行なうことによりカメラモードに設定すると（ステップＳ６０２）、利用者がその他のボタンを押下しない場合には（ステップＳ６０４にてＮＯ）、メインモニタ１５０は、メインカメラ１０２により撮影された被写体の映像を表示する（ステップＳ６４０、図７（Ｂ））。
【００７９】
その後、利用者が携帯電話１００をカメラモードに維持したまま（ステップＳ６５０にてＮＯ）、第１の機能ボタン１８０を短時間押下すると（ステップＳ６０４にてＹＥＳ、ステップＳ６０８にてＹＥＳ、ステップＳ６１０にてＹＥＳ、ステップＳ６１２にてＮＯ）、メインモニタ１５０は、サブカメラ１０４からの映像を表示する（ステップＳ６３０、図７（Ｃ））。携帯電話１００がその他にサブカメラを有する場合には、利用者が同じ操作を繰り返すとメインモニタ１５０はその表示をサブカメラからの表示にさらに切り替える（図７（Ｄ））。
【００８０】
その後、利用者が第１の機能ボタン１８０を同様に押下すると、メインモニタ１５０が最後の表示順序に設定されているサブカメラからの映像を表示している場合には、その表示は、再びメインカメラ１０２により撮影された被写体の映像の表示に切り替わる（図７（Ｄ）から図７（Ｂ））。
【００８１】
以上のようにして、本実施の形態に係る携帯電話１００によると、利用者はメインモニタ１５０に、カメラ操作のためのメニューを表示させることなく、第１の機能ボタン１８０の操作により、複数のカメラからの各映像の表示を切り替えることができる。このようにすると、利用者は、常にメインモニタ１５０に表示される映像を確認しつつ、画面の表示を容易に切り替えることができる。また、メインモニタ１５０における映像の表示が、たとえばメニューなどによって遮られないため、利用者は、撮影の機会を逃しにくくなる。
【００８２】
＜第２の実施の形態＞
以下、本発明の第２の実施の形態について説明する。第２の実施の形態に係る携帯電話は、入力された複数の映像を１つのモニタに表示する機能を有する点で、第１の実施の形態と異なる。なお、本実施の形態に係る携帯電話は、第１の実施の形態に係る携帯電話１００と同一のハードウェア構成を有する。それらの機能も同じである。したがって、それらについての説明は、ここでは繰返さない。
【００８３】
図８を参照して、本実施の形態に係る携帯電話１００におけるデータ構造について説明する。図８は、携帯電話１００のメモリ１３０に格納されるデータの一構成を概念的に表わす図である。
【００８４】
携帯電話１００の動作モードを特定するデータは、データ領域Ｄ８０２に格納される。携帯電話１００の動作を制御する機能ボタンを特定するデータは、データ領域Ｄ８０４に格納される。その動作を特定するための機能ボタンの押下時間は、データ領域Ｄ８０６に格納される。データ領域Ｄ８０２〜Ｄ８０６に格納されるデータに基づいて設定される機能を表わす情報は、データ領域Ｄ８０８に格納される。
【００８５】
図８を参照して、たとえばデータレコードＲ８５０は、メインモニタ１５０がサブカメラ１０４により撮影された映像を表示することを表わす。このとき、メインモニタ１５０がメインカメラ１０２により撮影された映像を既に表示している場合には、その表示に重ねるようにサブカメラ１０４による映像を表示する。すなわち、前述の部分表示領域として表示されるような映像信号が生成される。
【００８６】
データレコードＲ８６０は、メインモニタ１５０が既に表示されている映像に加えてＴＶ電話による映像をさらに表示することを表わす。この場合も、メインモニタ１５０がメインカメラ１０２により撮影された映像を既に表示している場合には、その表示に重ねるようにアンテナ１６６を介して受信された映像信号に基づく映像を表示する。すなわち、前述の部分表示領域として表示されるような映像信号が生成され、メインモニタ１５０に出力される。
【００８７】
なお、携帯電話１００の動作を制御するためのデータの設定は、図８に示した態様に限られない。
【００８８】
図９を参照して、本実施の形態に係る携帯電話１００の制御構造について説明する。図９は、携帯電話１００の制御部１１０が実行する処理の手順を表わすフローチャートである。
【００８９】
ステップＳ９０２にて、制御部１１０は、利用者による操作ボタンの押下に基づいてカメラ／ＴＶ電話モードの実行を検知する。この検知は、たとえばメインカメラ１０２の待機中に、ＴＶ電話開始のためのボタン（図示しない）の押下の有無に基づいて行なわれる。
【００９０】
ステップＳ９０４にて、制御部１１０は、メインカメラ１０２により撮影された被写体を表わす映像信号をメインモニタ１５０に出力する。その結果、メインモニタ１５０はメインカメラ１０２が撮影した被写体（すなわち、利用者が見ている被写体）を表示する。
【００９１】
ステップＳ９０６にて、制御部１１０は、第２の筐体１２２に取付けられたボタンの押下を検知する。ステップＳ９０８にて、制御部１１０は、そのボタンの押下時間を計測する。
【００９２】
ステップＳ９１０にて、制御部１１０は、第２の機能ボタン１８２が押下されたか否かを判断する。この判断は、たとえば第２の機能ボタン１８２から出力された信号が制御部１１０に入力されたか否かに基づいて行なわれる。第２の機能ボタン１８２が押下されたと判断すると（ステップＳ９１０にてＹＥＳ）、処理はステップＳ９１２に移される。そうでない場合には（ステップＳ９１０にてＮＯ）、処理はステップＳ９０４に戻される。
【００９３】
ステップＳ９１２にて、制御部１１０は、ステップＳ９０８にて計測された押下時間が予め定められた時間よりも短いか否かを判断する。その押下時間が予め定められた時間よりも短いと判断すると（ステップＳ９１２にてＹＥＳ）、処理はステップＳ９１４に移される。そうでない場合には（ステップＳ９１２にてＮＯ）、処理はステップＳ９２０に移される。
【００９４】
ステップＳ９１４にて、制御部１１０は、サブカメラ１０４から出力された映像信号に基づいて、メインモニタ１５０の一部に表示するための信号を生成する。この信号は、たとえばサブカメラ１０４からの映像信号を圧縮することにより、あるいは特定の間隔で間引くことにより生成される。
【００９５】
ステップＳ９１６にて、制御部１１０は、生成したデータをメインモニタ１５０に出力する。その結果、メインモニタ１５０は、メインカメラ１０２により撮影された被写体の映像に加えてサブカメラ１０４により撮影された被写体の映像を表示する。
【００９６】
ステップＳ９１８にて、制御部１１０は、第３の機能ボタン１８４が押下されたか否かを判断する。この判断は、たとえば第３の機能ボタン１８４から出力された信号が制御部１１０に入力されたか否かに基づいて行なわれる。第３の機能ボタンが押下されたと判断すると（ステップＳ９１８にてＹＥＳ）、処理はステップＳ１０００に移される。そうでない場合には（ステップＳ９１８にてＮＯ）、処理はステップＳ９１４に戻される。
【００９７】
ステップＳ９２０にて、制御部１１０は、ＴＶ電話機能の実行により、アンテナ１６６を介して受信された映像信号に基づいて、映像を表示領域において部分的に表示するためのデータを生成する。このような信号の生成の態様は、他のステップにおける生成の態様と同じである。
【００９８】
ステップＳ９２２にて、制御部１１０は、生成したデータをメインモニタ１５０に出力する。その結果、メインモニタ１５０は、メインカメラ１０２により撮影された被写体の映像に加えて、通信回線を介して送信された通信相手の映像を表示することができる。
【００９９】
ステップＳ１０００にて、制御部１１０は、後述する表示位置変更処理を実行する。この処理が実行されると、メインモニタ１５０は、部分表示領域の位置を変更したり、全体の表示領域（メイン表示領域）と部分表示領域との間で、表示する映像を切り替えることができる。
【０１００】
図１０を参照して、本実施の形態に係る携帯電話１００の制御構造についてさらに説明する。図１０は、制御部１１０が実行する表示位置変更処理の手順を表わすフローチャートである。
【０１０１】
ステップＳ１００２にて、制御部１１０は、第３の機能ボタン１８４の押下時間を計測する。
【０１０２】
ステップＳ１００４にて、制御部１１０は、その押下時間が予め定められた時間よりも短いか否かを判断する。押下時間が予め定められた時間よりも短い場合には（ステップＳ１００４にてＹＥＳ）、処理はステップＳ１００６に移される。そうでない場合には（ステップＳ１００４にてＮＯ）、処理はステップＳ１０２０に移される。
【０１０３】
ステップＳ１００６にて、制御部１１０は、サブカメラ１０４により撮影された映像を表示するための映像信号の出力位置を変更する。この出力位置の変更は、予め定められた位置データに基づいて行なわれる。たとえば予め映像信号の出力位置を複数記憶しておき、第３の機能ボタン１８４の押下に応じて、出力される位置データが選択される。サブカメラ１０４からの映像信号は、その位置データに基づいてメインモニタ１５０において異なる表示領域に表示されるように、表示用の映像信号が生成される。
【０１０４】
ステップＳ１００８にて、制御部１１０は、生成した映像信号をメインモニタ１５０に出力する。
【０１０５】
ステップＳ１０１０にて、制御部１１０は、第３の機能ボタン１８４がさらに押下されたか否かを判断する。この判断は、第３の機能ボタン１８４から制御部１１０への信号の入力の有無に基づいて行なわれる。第３の機能ボタン１８４が押下されたと判断すると（ステップＳ１０１０にてＹＥＳ）、処理はステップＳ１０１２に移される。そうでない場合には（ステップＳ１０１０にてＮＯ）、処理は終了し、メイン処理に戻される。
【０１０６】
ステップＳ１０２０にて、制御部１０１０は、サブカメラ１０４により撮影された被写体の映像信号を、メインモニタ１５０の表示領域の大きさに応じて出力する。ステップＳ１０２２にて、制御部１１０は、メインカメラ１０２により撮影された被写体の映像信号に基づいて、部分表示領域用のデータを生成して出力する。その結果、メインモニタ１５０はサブカメラ１０４により撮影された被写体を表示領域全体に表示し、メインカメラ１０２により撮影された被写体の映像をその領域の一部に表示する。すなわち、映像の表示の態様は、当初の態様から変更される。
【０１０７】
以上のような構造およびフローチャートに基づく、本実施の形態に係る携帯電話１００の動作について図１１を参照しつつ説明する。図１１は、携帯電話１００のメインモニタ１５０における表示の変化を説明するための図である。
【０１０８】
携帯電話１００がカメラＴＶ電話モードであるとき（ステップＳ９０２）、携帯電話１００のメインモニタ１５０は、メインカメラ１０２により撮影された被写体の映像を表示する（ステップＳ９０４、図１１（Ａ））。利用者が第２の機能ボタン１８２を押下すると（ステップＳ９１０にてＹＥＳ）、その押下が短時間である場合には（ステップＳ９１２にてＹＥＳ）、メインモニタ１５０は、メインカメラ１０２による映像に加えて、サブカメラ１０４により撮影された被写体の映像を表示する（ステップＳ９１６、図１１（Ｂ））。利用者が第３の機能ボタン１８４を押下すると（ステップＳ９１８にてＹＥＳ）、その押下時間が予め定められた時間よりも短い場合には（ステップＳ１００４にてＹＥＳ）、メインモニタ１５０に表示されたサブカメラ１０４からの映像は、予め設定されたその他の位置に表示される（ステップＳ１００８、図１１（Ｃ））。逆に、その押下時間が予め定められた時間よりも長い場合には（ステップＳ１００４にてＮＯ）、メインモニタ１５０は、表示領域全体にサブカメラ１０４からの映像を表示し、一部の領域にメインカメラ１０２からの映像を表示する（ステップＳ１０２０、Ｓ１０２２、図１１（Ｅ））。
【０１０９】
一方、利用者が第３の機能ボタン１８４を長時間押下すると（ステップＳ１００４にてＮＯ）、メインモニタ１５０は、サブカメラ１０４からの映像を表示領域全体に表示し、メインカメラ１０２からの映像を、一部の領域に表示する（図１１（Ｄ））。
【０１１０】
［ＴＶ電話画面の表示動作］
また、携帯電話１００がメインモニタ１５０にメインカメラ１０２により撮影された被写体の映像を表示しているとき（ステップＳ９０４）、利用者が第２の機能ボタン１８２を長時間押下すると（ステップＳ９１２にてＮＯ）、メインモニタ１５０は、メインカメラ１０２による映像の表示に加えて、通信回線を介して受信されたＴＶ電話機能に基づく映像を一部の領域に表示する（ステップＳ９２２、図１１（Ｂ））。
【０１１１】
以上のようにして、本実施の形態に係る携帯電話１００によると、利用者は、第２の機能ボタン１８２の押下により、メインモニタ１５０の表示領域の一部の領域に、追加の映像を表示させることができる。このとき、その一部の領域における映像は、第２の機能ボタン１８２が押下される時間に基づいて切替えられる。そのため、利用者は、切替えのためのメニューをメインモニタ１５０に表示させることなく、サブカメラ１０４あるいはＴＶ電話のいずれかの映像をその領域に表示させることができる。
【０１１２】
さらに、利用者は第３の機能ボタン１８４を押下することにより、メインモニタ１５０に表示されている部分表示領域の位置を変更したり、表示領域全体と一部の領域との間で表示される映像を切り替えることができる。これにより、メインモニタ１５０における映像の表示を遮ることなく、映像の表示を切り替えることができる。したがって、携帯電話１００による通話時間の無駄の発生を防止することができる。
【０１１３】
＜第３の実施の形態＞
以下、本発明の第３の実施の形態について説明する。本実施の形態に係る携帯電話は、メインモニタ１５０に表示領域に、映像が一部に表示される領域を複数生成して、各映像を表示する機能を有する点で、前述の各実施の形態と異なる。
【０１１４】
なお、本実施の形態に係る携帯電話は、前述の第１の実施の形態と同じハードウェア構成を有する。それらの機能も同じである。したがって、それらについての説明はここでは繰返さない。
【０１１５】
図１２を参照して、本実施の形態に係る携帯電話１００の制御構造について説明する。図１２は、携帯電話１００の制御部１１０が実行する処理の手順を表わすフローチャートである。
【０１１６】
ステップＳ１２０２にて、制御部１１０は、メインカメラ１０２により撮影された被写体の映像信号をメインモニタ１５０に出力する。
【０１１７】
ステップＳ１２０４にて、制御部１１０は、通信回線を介して受信したＴＶ電話機能に基づく映像信号により、メインモニタ１５０の部分表示領域用の信号を生成する。この信号は、たとえば入力される映像信号から部分表示領域に応じて信号を間引くことにより、あるいは全体の表示領域と部分表示領域とのサイズに基づいて予め設定された圧縮率で圧縮されて、生成される。
【０１１８】
ステップＳ１２０６にて、制御部１１０は、生成した信号をメインモニタ１５０に出力する。その結果、メインモニタ１５０は、メインカメラ１０２により撮影された被写体の映像に加えて、ＴＶ電話による映像（すなわち通信回線を介してアンテナ１６６により受信された映像信号に基づく映像）を表示する。
【０１１９】
ステップＳ１２０８にて、制御部１１０は、ボタンの押下を検知する。ステップＳ１２１０にて、制御部１１０は、そのボタンが押下された時間を計測する。
【０１２０】
ステップＳ１２１２にて、制御部１１０は、第２の機能ボタン１８２が押下されたか否かを判断する。この判断は、たとえば第２の機能ボタン１８２から出力された信号が制御部１１０に入力されたか否かに基づいて行なわれる。第２の機能ボタン１８２が押下されたと判断すると（ステップＳ１２１２にてＹＥＳ）、処理はステップＳ１２１４に移される。そうでない場合には（ステップＳ１２１２にてＮＯ）、処理はステップＳ１２３０に移される。
【０１２１】
ステップＳ１２１４にて、制御部１１０は、サブカメラ１０４からの映像信号に基づいて、メインモニタ１５０の部分表示領域用の信号を生成する。この信号は、たとえば部分表示領域に応じた信号量に基づいて映像信号を間引いたり、予め設定された圧縮率に基づいて圧縮されて生成される。ステップＳ１２１６にて、制御部１１０は、生成した信号をメインモニタ１５０に出力する。
【０１２２】
ステップＳ１２１８にて、制御部１１０は、第３の機能ボタン１８４が押下されたか否かを判断する。この判断は、たとえば第３の機能ボタン１８４から制御部１１０に押下を表わす信号が入力されたか否かに基づいて行なわれる。第３の機能ボタンが押下されたと判断すると（ステップＳ１２１８にてＹＥＳ）、処理はステップＳ１２２０に移される。そうでない場合には（ステップＳ１２１８にてＮＯ）、処理は終了する。
【０１２３】
ステップＳ１２２０にて、制御部１１０は、第３の機能ボタン１８４の押下時間が予め定められた時間よりも短いか否かを判断する。その押下時間が予め定められた時間よりも短いと判断すると（ステップＳ１２２０にてＹＥＳ）、処理はステップＳ１２２２に移される。そうでない場合には（ステップＳ１２２０にてＮＯ）、処理は終了する。
【０１２４】
ステップＳ１２２２にて、制御部１１０は、サブカメラ１０４からの映像信号の出力先を変更する。この変更は、たとえばサブカメラ１０４から入力される映像信号を変更後の部分表示領域の位置に合わせて、メモリ１３０のワーク領域に書き込むことにより行なわれる。
【０１２５】
ステップＳ１２２４にて、制御部１１０は、ＴＶ電話による映像信号の出力先を変更する。この変更は、たとえばサブカメラ１０４からの映像信号の出力先として指定されていた領域に応じて、信号をメモリ１３０のワーク領域に書き込むことにより行なわれる。
【０１２６】
ステップＳ１２２６にて、制御部１１０は、第３の機能ボタン１８４がさらに押下されたか否かを判断する。この判断は、たとえば第３の機能ボタンから制御部１１０に押下を表わす信号が入力されたか否かに基づいて行なわれる。第３の機能ボタン１８４が押下されると（ステップＳ１２２６にてＹＥＳ）、処理はステップＳ１２２２に戻される。そうでない場合には（ステップＳ１２２６にてＮＯ）、処理は終了する。
【０１２７】
ステップＳ１２３０にて、制御部１１０は、第３の機能ボタン１８４が押下されたか否かを判断する。第３の機能ボタンが押下されたと判断すると（ステップＳ１２３０にてＹＥＳ）、処理はステップＳ１２３２に移される。そうでない場合には（ステップＳ１２３０にてＮＯ）、処理は終了する。
【０１２８】
ステップＳ１２３２にて、制御部１１０は、第３の機能ボタンが押下された時間が予め定められた時間よりも短いか否かを判断する。その押下時間が予め定められた時間よりも短い場合には（ステップＳ１２３２にてＹＥＳ）、処理はステップＳ１２３４に移される。そうでない場合には（ステップＳ１２３２にてＮＯ）、処理は終了する。
【０１２９】
ステップＳ１２３４にて、制御部１１０は、ＴＶ電話による映像信号をメインモニタ１５０に出力する。ステップＳ１２３６にて、制御部１１０は、メインカメラ１０２からの映像信号に基づいて、部分表示領域用の信号を生成する。この信号は、たとえばその映像信号を部分表示領域に必要な信号量に応じて所定の間隔で間引くことにより、あるいは予め設定された圧縮率に応じて圧縮されて、生成される。
【０１３０】
ステップＳ１２３８にて、制御部１１０は、生成した信号をメインモニタ１５０に出力する。その結果、メインモニタ１５０は、映像の表示の態様を、当初の態様から切り替える。すなわちＴＶ電話の映像は、メインモニタ１５０の表示領域全体に表示される。メインカメラ１０２により撮影された被写体の映像は、その領域の一部に表示される。
【０１３１】
以上のような構造およびフローチャートに基づく、本実施の形態に係る携帯電話１００の動作について図１３を参照しつつ説明する。図１３は、本実施の形態に係る携帯電話１００のメインモニタ１５０における画面の変化を表わす図である。
【０１３２】
携帯電話１００がメインカメラ１０２により撮影された被写体の映像とＴＶ電話の映像とを表示しているとき（ステップＳ１２０６）、利用者が第２の機能ボタン１８２を押下すると（ステップＳ１２１２にてＹＥＳ）、メインモニタ１５０は、サブカメラ１０４により撮影された被写体の映像をメインモニタ１５０に表示する（ステップＳ１２１６）。
【０１３３】
利用者が第３の機能ボタン１８４を長時間押下すると（ステップＳ１２２０にてＹＥＳ）、ＴＶ電話映像の表示とサブカメラ１０４による映像の表示とは、予め定められた方向に変化する（ステップＳ１２２２、ステップＳ１２２４）。一方、携帯電話１００がメインカメラ１０２による映像とＴＶ電話による映像とを表示しているとき（ステップＳ１２０６）、利用者が第３の機能ボタン１８４を押下すると（ステップＳ１２３０にてＹＥＳ）、メインモニタ１５０は、ＴＶ電話映像の表示とメインカメラ１０２による映像とを変更して表示する（ステップＳ１２３４、ステップＳ１２３８）。
【０１３４】
以上のようにして、本実施の形態に係る携帯電話１００によると、利用者は、メインモニタ１５０に映像の表示を切替えるためのメニューを表示させることなく、メインモニタ１５０における表示を切り替えることができる。これにより、利用者は、撮影状況を確認しつつ、メインモニタ１５０の表示領域の中の最適な位置に、映像を部分的に表示させることができる。
【０１３５】
なお、本実施の形態に係る携帯電話１００の構成に加えて、たとえばメインモニタ１５０の表示領域の一部（たとえば、最下行の領域）に、動作中の各機能ボタンが実行可能な機能を表示するようにしてもよい。このようにすると、利用者は、その表示を参照しつつ、機能ボタンを操作することができる。また、表示領域の全てはそのような表示に使用されないため、映像の表示も大きく遮断されることはない。その結果、各機能ボタンに関する誤操作が防止される。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】本発明の第１の実施の形態に係る携帯電話の構成を表わす図（その１）である。
【図２】本発明の第１の実施の形態に係る携帯電話の構成を表わす図（その２）である。
【図３】本発明の第１の実施の形態に係る携帯電話の構成を表わす図（その３）である。
【図４】本発明の第１の実施の形態に係る携帯電話の構成を表わす図（その４）である。
【図５】本発明の第１の実施の形態に係る携帯電話におけるデータ構造を表わす図である。
【図６】本発明の第１の実施の形態に係る携帯電話が実行する処理の手順を表わすフローチャートである。
【図７】本発明の第１の実施の形態に係る携帯電話のメインモニタにおける映像の表示の推移を説明するための図である。
【図８】本発明の第２の実施の形態に係る携帯電話におけるデータ構造を表わす図である。
【図９】本発明の第２の実施の形態に係る携帯電話が実行する処理の手順を表わすフローチャート（その１）である。
【図１０】本発明の第２の実施の形態に係る携帯電話が実行する処理の手順を表わすフローチャート（その２）である。
【図１１】本発明の第２の実施の形態に係る携帯電話のメインモニタにおける映像の表示の推移を説明するための図である。
【図１２】本発明の第３の実施の形態に係る携帯電話が実行する処理の手順を表わすフローチャートである。
【図１３】本発明の第３の実施の形態に係る携帯電話のメインモニタにおける映像の表示の推移を説明するための図である。
【符号の説明】
【０１３８】
１００  携帯電話、１０２  メインカメラ、１０４  サブカメラ、１１０  制御部、１２０  第１の筐体、１２２  第２の筐体、１２４  接続部、１３０  メモリ、１５０  メインモニタ、１５２  サブモニタ、１６０  バッテリ、１６２  計時回路、１６４  マイク、１６６  アンテナ、１６８  スピーカ、１８０  第１の機能ボタン、１８２  第２の機能ボタン、１８４  第３の機能ボタン、１８６，１９０，１９２，１９４  操作ボタン、１８８  数字ボタン、１９６  ライト。
【図１】
2005184230.tif 000003
【図２】
2005184230.tif 000004
【図３】
2005184230.tif 000005
【図４】
2005184230.tif 000006
【図５】
2005184230.tif 000007
【図６】
2005184230.tif 000008
【図７】
2005184230.tif 000009
【図８】
2005184230.tif 000010
【図９】
2005184230.tif 000011
【図１０】
2005184230.tif 000012
【図１１】
2005184230.tif 000013
【図１２】
2005184230.tif 000014
【図１３】
2005184230.tif 000015